(57)【特許請求の範囲】
【請求項１】
筐体に対して取り付け・取り外し自在なロッドアンテナを有し、前記筐体から取り外した前記ロッドアンテナを前記筐体の収納口から挿入して該筐体内部に収納可能とした無線送信機において、
前記収納口から挿入される前記ロッドアンテナを摺動ガイドする摺動レール部が設けられたベース部材と、
前記筐体内部に収納された前記ロッドアンテナの後端面に当接し、該ロッドアンテナの軸方向に移動するアンテナ押出手段と、
前記筐体内部に収納された前記ロッドアンテナの軸方向から外れた位置に設けられ、前記アンテナ押出手段を前記収納口側に向けて付勢する付勢手段と、
前記収納口から挿入される前記ロッドアンテナに押された前記アンテナ押出手段を前記付勢手段の付勢に抗して所定位置に保持し、且つ前記保持状態を解除するロック手段と、
を具備することを特徴とする無線送信機のアンテナ取出機構。
【請求項２】
筐体に対して取り付け・取り外し自在なロッドアンテナを有し、前記筐体から取り外した前記ロッドアンテナを前記筐体の収納口から挿入して該筐体内部に収納可能とした無線送信機において、
前記収納口から挿入される前記ロッドアンテナを摺動ガイドする摺動レール部が設けられたベース部材と、
前記筐体内部に収納された前記ロッドアンテナの後端面に当接している押出部が設けられ、前記収納されたロッドアンテナに並列して設けられるとともに該ロッドアンテナの軸方向と平行にスライド移動するアンテナ押出手段と、
前記筐体内部に収納された前記ロッドアンテナの軸方向から外れた位置に設けられ、前記アンテナ押出手段を前記収納口側に向けて付勢する付勢手段と、
前記収納口から挿入される前記ロッドアンテナに前記押出部を介して押された前記アンテナ押出手段を前記付勢手段の付勢に抗して所定位置に保持し、且つ前記保持状態を解除するロック手段と、
を具備することを特徴とする無線送信機のアンテナ取出機構。
【請求項３】
前記ロック手段は、前記ベース部材に設けられた孔部と、前記アンテナ押出手段に設けられた凸部とからなり、
前記ロッドアンテナに押された前記アンテナ押出手段が前記所定位置に到達したところで、前記凸部が前記孔部に嵌まり込んでロックすることを特徴とする請求項１又は２記載の無線送信機のアンテナ取出機構。
【請求項４】
前記筐体内部に収納された前記ロッドアンテナを該筐体内部に保持するためのアンテナ保持手段が設けられることを特徴とする請求項１又は２又は３記載の無線送信機のアンテナ取出機構。
【請求項５】
前記アンテナ保持手段は、前記ロッドアンテナの後端側外周面に形成された溝と、前記アンテナ押出手段に設けられた突起とからなり、
前記ロッドアンテナの前記溝に前記突起が係合して前記ロッドアンテナを前記筐体内部に保持することを特徴とする請求項４記載の無線送信機のアンテナ取出機構。
【発明の詳細な説明】
【技術分野】
【０００１】
本発明は、取り付け・取り外し自在なロッドアンテナを筐体内部に収納可能とした無線送信機において、収納されたロッドアンテナを容易に取り出すためのアンテナ取出機構に関する。
【背景技術】
【０００２】
例えば、無線電波を送信して飛行機、車、船舶などの模型（被操縦体）を遠隔制御する無線送信機には、下記特許文献１などに開示されるように無線送信機本体（筐体）正面の左右にそれぞれ操作スティックが設けられたものがある。使用者は、この筐体を両手で左右から挟み込むように持ったまま親指などで操作スティックを上下左右に傾倒させて被操縦体を遠隔制御する。
また、無線送信機は筐体上部に伸縮式のロッドアンテナを有している。このロッドアンテナは筐体に対して取り付け・取り外しできるものがあり、さらに、取り外したロッドアンテナが筐体内部に収納されるものがある。
【０００３】
上記のようなアンテナ収納可能な無線送信機では、操作中に使用者の手に触れて不快感を与えないようにするため、ロッドアンテナを収納する収納部を筐体下部に設けることが本来望ましい。
しかしながら、これまでは使用者が筐体を安定して持つことができるようにバッテリーなどが筐体下部に配置されていたことから、筐体下部に収納部を設けるだけのスペースが無かった。このため、収納部は筐体側面の中央付近に収納口を設け、ロッドアンテナを筐体の幅方向に収納するようなものとなっていた。
ところが、最近ではリチウム電池などの使用によってバッテリーが小型化されたことで筐体下部にロッドアンテナを収納できるスペースが確保できるようになり、ロッドアンテナは筐体下部に収納されるようになっている。
【０００４】
ところで、上述したような、筐体内部に収納されたロッドアンテナを取り出すときは、これまで筐体の収納口から僅かに出ているアンテナの先端部を手指で摘んで引っ張り出していたが、ロッドアンネナが伸縮式であるため、アンテナ先端部を引っ張るときにロッドアンテナが伸張してしまうことがあって取り出し難かった。
【０００５】
そこで、アンテナを容易に取り出すために下記特許文献２、３などに開示されるようなアンテナ取出機構を無線送信機に採用することが考えられる。
下記特許文献２は、押出移動可能なアンテナと、摺動可能な可動筒と固定筒との筒内閉空間の容積変化を伴ってアンテナを押し出すアンテナ押出機構と、アンテナの押出をロックするロック機構とを備えたアンテナ装置であり、可動筒が固定筒の外側に嵌合し且つ外周面に係止部が形成され、ロック機構がこの係止部と係合してロックする。このアンテナ装置では、アンテナが携帯無線機内へ押し込まれてロックされているときに、ロックが解除されると、アンテナ押出機構によってアンテナが押し出される。
【０００６】
また、下記特許文献３は、ボディに出没可能なアンテナを有し、このアンテナをワンタッチで突出させるように構成したアンテナ出没機構であり、アンテナを押し込むことによりアンテナをボディ内に係止して没入位置に保持し、ボディ側面に突出する操作用突起を押すことにより前記没入位置での保持を解除してアンテナをボディから突出させる。
【特許文献１】意匠登録第１２３９２７３号公報
【特許文献２】特開平９−２２３９０９号公報
【特許文献３】実用新案登録第３０３２１２３号公報
【発明の開示】
【発明が解決しようとする課題】
【０００７】
しかしながら、上記特許文献２、３に開示されるアンテナ取出機構は、共にアンテナの同軸上に圧縮バネが設けられたものであり、筐体内部に収納されたアンテナの後方にバネを設けるためのスペースが必要となるが、上述したような被操縦体を遠隔制御する無線送信機などに使用されるロッドアンテナは比較的長いため筐体内部にアンテナの軸方向に更にスペースを確保することが難しいという問題がある。
なお、上記特許文献２、３の発明は、携帯電話機に用いられるアンテナの取出機構であり、取り出す対象となるアンテナは非常に軽いものであり、アンテナを押し出すバネにも小型のものを使用することができる。ところが、上述した無線送信機に用いるロッドアンテナは長いうえに重量もあるため小型のバネでは確実に押し出すことができないことがある。したがって、筐体内部におけるロッドアンテナの後方に僅かなスペースがある程度ではこのアンテナを押し出すほどの付勢力を有したバネを設けることは難しい。
【０００８】
そこで本発明は、上記状況に鑑みてなされたもので、筐体内部に収納されたロッドアンテナの軸方向に更にスペースを確保できない場合でも、ロッドアンテナを押し出す機構を設けることができ、且つ収納されたロッドアンテナをワンタッチで容易に取り出すことができるアンテナ取出機構を提供することを目的としている。
【課題を解決するための手段】
【０００９】
次に、上記の課題を解決するための手段を、実施の形態に対応する図面を参照して説明する。
本発明の請求項１記載の無線送信機のアンテナ取出機構１０は、筐体２に対して取り付け・取り外し自在なロッドアンテナ３を有し、前記筐体２から取り外した前記ロッドアンテナ３を前記筐体２の収納口４から挿入して該筐体２内部に収納可能とした無線送信機１において、
前記収納口４から挿入される前記ロッドアンテナ３を摺動ガイドする摺動レール部１３が設けられたベース部材１１と、
前記筐体２内部に収納された前記ロッドアンテナ３の後端面に当接し、該ロッドアンテナ３の軸方向に移動するアンテナ押出手段２１と、
前記筐体２内部に収納された前記ロッドアンテナ３の軸方向から外れた位置に設けられ、前記アンテナ押出手段２１を前記収納口４側に向けて付勢する付勢手段３１と、
前記収納口４から挿入される前記ロッドアンテナ３に押された前記アンテナ押出手段２１を前記付勢手段３１の付勢に抗して所定位置に保持し、且つ前記保持状態を解除するロック手段４５と、
を具備することを特徴としている。
【００１０】
また、請求項２記載の無線送信機のアンテナ取出機構１０は、筐体２に対して取り付け・取り外し自在なロッドアンテナ３を有し、前記筐体２から取り外した前記ロッドアンテナ３を前記筐体２の収納口４から挿入して該筐体２内部に収納可能とした無線送信機１において、
前記収納口４から挿入される前記ロッドアンテナ３を摺動ガイドする摺動レール部１３が設けられたベース部材１１と、
前記筐体２内部に収納された前記ロッドアンテナ３の後端面に当接している押出部２３が設けられ、前記収納されたロッドアンテナ３に並列して設けられるとともに該ロッドアンテナ３の軸方向と平行にスライド移動するアンテナ押出手段２１と、
前記筐体２内部に収納された前記ロッドアンテナ３の軸方向から外れた位置に設けられ、前記アンテナ押出手段２１を前記収納口４側に向けて付勢する付勢手段３１と、
前記収納口４から挿入される前記ロッドアンテナ３に前記押出部２３を介して押された前記アンテナ押出手段２１を前記付勢手段３１の付勢に抗して所定位置に保持し、且つ前記保持状態を解除するロック手段４５と、
を具備することを特徴としている。
【００１１】
さらに、請求項３記載の無線送信機のアンテナ取出機構１０は、前記ロック手段４５は、前記ベース部材１１に設けられた孔部１４と、前記アンテナ押出手段２１に設けられた凸部２２とからなり、
前記ロッドアンテナ３に押された前記アンテナ押出手段２１が前記所定位置に到達したところで、前記凸部２２が前記孔部１４に嵌まり込んでロックすることを特徴としている。
【００１２】
また、請求項４記載の無線送信機のアンテナ取出機構１０は、前記筐体２内部に収納された前記ロッドアンテナ３を該筐体２内部に保持するためのアンテナ保持手段が設けられることを特徴としている。
【００１３】
さらに、請求項５記載の無線送信機のアンテナ取出機構１０は、前記アンテナ保持手段は、前記ロッドアンテナ３の後端側外周面に形成された溝６と、前記アンテナ押出手段２１に設けられた突起２４とからなり、
前記ロッドアンテナ３の前記溝６に前記突起２４が係合して前記ロッドアンテナ３を前記筐体２内部に保持することを特徴としている。
【００１４】
このような構成によれば、筐体２内部（収納部５）に収納されたロッドアンテナ３に並列してアンテナ押出手段２１を設けたことで、アンテナ３の軸方向にスペースが確保できない場合でも、収納されたロッドアンテナ３を押し出すための機構を設けることが可能となる。
また、収納されたロッドアンテナ３の後端面は、付勢手段３１の付勢に抗して保持されたアンテナ押出手段２１の押出部２３に当接している。したがって、この保持状態を解除するとアンテナ押出手段２１がロッドアンテナ３の軸方向に沿って奥側から収納口４側へとスライド移動し、これに伴い押出部２３がアンテナ軸方向に移動することでロッドアンテナ３を押し出すことが可能となる。
さらに、収納口４から挿入されるロッドアンテナ３が付勢手段３１の付勢に抗してアンテナ押出手段２１を収納部５の奥側へと押し込む。ロッドアンテナ３に押されたアンテナ押出手段２１は、所定位置に到達したところで凸部２２がベース部材１１に設けられた孔部１４に嵌まり込んでロックされ所定位置に保持される。
また、アンテナ押出手段２１に設けられた突起２４が、ロッドアンテナ３の後端部外周面に形成された溝６と係合することによりロッドアンテナ３を収納部５に保持できるようになる。
なお、一般的に伸縮式のロッドアンテナ３などには、設計上の理由によりアンテナ後端部の外周面に環状の溝６が形成されている。
【発明の効果】
【００１５】
本発明による無線送信機のアンテナ取出機構によれば、筐体内部に収納されたロッドアンテナに並列してこのアンテナを押し出すアンテナ押出手段を設けたことで、収納されたロッドアンテナの軸方向にアンテナ押出手段を設けるスペースが確保できない場合でも、ロッドアンテナを押し出すための機構を設けることができるようになる。
また、ロック手段を構成している凸部を手指などで押して孔部との嵌合状態を解除することでロックが解除され、付勢されたアンテナ押出手段のスライド移動によってロッドアンテナが押し出される。つまり、凸部を手指で押すという簡単な操作で自動的にロッドアンテナが押し出され、収納されたロッドアンテナをワンタッチで容易に取り出すことができるようになる。
【００１６】
さらに、アンテナ押出手段に設けられた突起が、ロッドアンテナの後端部外周面に形成された溝と係合することによりロッドアンテナを筐体内部に保持できる。これにより、筐体内部に収納されたロッドアンテナが筐体から脱落することを防止できるとともに、ロック手段を解除して押し出されたロッドアンテナが勢い余って飛び出してしまうことを防止できる。
【発明を実施するための最良の形態】
【００１７】
以下、本発明の実施の形態を図面を参照して具体的に説明する。
図１は本発明による無線送信機のアンテナ取出機構を備えた無線送信機を示す斜視図、図２は同無線送信機の背面図、図３は図２におけるＡ−Ａ端面図、図４はアンテナ取出機構の分解斜視図である。
【００１８】
まず最初に、本実施の形態のアンテナ取出機構を備えた無線送信機について簡単に説明する。
図１に示すように、この無線送信機１は、無線電波を送信して被操縦体としての飛行機、車、船舶などの模型を遠隔制御するものであり、例えば、無線送信機本体２（筐体）の正面左右にそれぞれ設けられた操作スティックを上下左右に傾倒させるなどして複数チャンネルの制御を行うことができる。
【００１９】
また、図１、２に示すように、無線送信機１は、取り付け・取り外し自在の伸縮式ロッドアンテナ３を有している。このロッドアンテナ３は、無線送信機１使用時には筐体２の上部に取り付けられ、不使用時には筐体２から取り外されて筐体２の下部に設けられた収納口４から挿入されて筐体内部の収納部５に収納される。なお、一般的にロッドアンテナ３の後端部の外周面には環状の溝６が形成されている。また、このような無線送信機１に使用されるロッドアンテナ３は比較的長いため、これまで筐体２に収納部５のスペースを確保することが困難であったが、最近ではバッテリーの小型化などにより筐体２に収納部５を設けることが可能となった。
【００２０】
ここから、本発明の主要部分であるアンテナ取出機構について説明する。
図１、３に示すように、本実施の形態のアンテナ取出機構１０は筐体２下部に設けられ、上述したロッドアンテナ３の収納部５を構成している。
図４に示すように、このアンテナ取出機構１０は、ベース部材１１と、アンテナ押出手段２１と、付勢手段３１と、カバー部材４１と、ロック手段４５とで略構成されている。
【００２１】
ベース部材１１は、底部１２の上面にロッドアンテナ３を摺動させるとともに、ロッドアンテナ３を軸方向に収納する収納部５の一部を構成する摺動レール部１３が設けられている。この摺動レール部１３には、収納口４側から奥側にかけてロッドアンテナ３が配置される。摺動レール部１３上の収納口側の所定位置には略矩形の孔部１４が設けられている。また、摺動レール部１３上の奥側にはこの摺動レール部１３の長手方向に沿った凸条レール１５が設けられている。凸条レール１５の収納口４側の端部には、底部１２から連続する緩やかな傾斜面が形成されている（図９参照）。さらに、底部１２の上面には、後述する係止柱４３が上方から嵌め込まれる受部１６が設けられている。
【００２２】
アンテナ押出手段としてのスライダー２１は、前記摺動レール部１３の長手方向に延びた略矩形の長体であり、収納口４側の端部下面に略矩形の凸部２２が下向きに突出して設けられている。また、スライダー２１の奥側の端部における内方側面には略円柱状の押出部２３が突設されている。この押出部２３近傍にはロッドアンテナ３の溝６と係合される略三角柱状の突起２４が設けられている。この突起２４が摺動レール部１３に配置されたロッドアンテナ３の溝６と係合することでアンテナ保持手段となる。さらに、突起２４の基端側は板バネ２５となっている。また、スライダー２１の奥側端部には、後述する付勢手段の他端を係止するための略鉤状の係止爪２６が設けられている。このスライダー２１は、摺動レール部１３に配置されるロッドアンテナ３と並列して設けられ、ロッドアンテナ３の軸方向と平行にスライド移動可能に構成されている。
【００２３】
付勢手段としての引張バネ３１は、両端に係止リング３２，３２を備えており、一端側リング３２が後述するカバー部材４１の係止柱４３に係止され、他端側リング３２が前記スライダー２１の係止爪２６に係止されてスライダー２１を収納口４側に向けて付勢するようになる。また、この引張バネ３１は、前記ベース部材１１の摺動レール部１３上から外れた位置に設けられる。本実施の形態では、引張バネ３１は、スライダー２１と同様にロッドアンテナ３と並列して設けられている。
【００２４】
前述したカバー部材４１は、収納口４側の端部にロッドアンテナ３の外周面と略同等の曲面に形成されたルーフ部４２が設けられ、奥側の端部に前記受部１６に嵌合し前記引張バネ３１の係止リング３２を係止する係止柱４３が設けられている。このカバー部材４１は、前記ベース部材１１に取り付けられベース部材１１の摺動レール部１３と共にロッドアンテナ３の軸方向への摺動をガイドするとともに、ロッドアンテナ３を収納する収納部５を形成している。
【００２５】
前記ベース部材１１の孔部１４と、前記スライダー２１の凸部２２とが嵌合することでロック手段４５を構成している。また、ロック手段４５は、スライド移動するスライダー２１が所定位置に到達したところで構成される。
【００２６】
次に、図５〜８を参照して本実施の形態のアンテナ取出機構にロッドアンテナが収納されたときのこの取出機構を構成する各部の動作について説明する。
図５、７は本発明による無線送信機のアンテナ取出機構にロッドアンテナが収納されたときの各部の動作を示す平面図、図６、８は同底面図、図９（ａ），（ｂ）はロック手段のロック動作を示す模式的な正面断面図、図１０はロック手段を示す模式的な平面図である。
【００２７】
まず、図５に示すように、後端部を先行させたロッドアンテナ３が、ベース部材１１の摺動レール部１３上を軸方向に摺動しながら収納部５の奥側へと挿入される。このとき、ロッドアンテナ３の後端面がアンテナ押出手段としてのスライダー２１の押出部２３に当接するとともに、ロッドアンテナ３の溝６とスライダー２１の突起２４とが係合してロッドアンテナ３を収納部５に保持する。
なお、図６に示すように、スライダー２１の下面に設けられた凸部２２の進行方向にはベース部材１１の孔部１４がある。
【００２８】
次に、図７に示すように、ロッドアンテナ３を更に奥側へと挿入させると、ロッドアンテナ３は押出部２３を介してスライダー２１を奥側へと押し込む。このとき、付勢手段である引張バネ３１の両端がカバー部材４１の係止柱４３とスライダー２１の係止爪２６とに係止されているため、ロッドアンテナ３は引張バネ３１の付勢に抗してスライダー２１を押し込むこととなる。
そして、図８に示すように、ロッドアンテナ３に押されたスライダー２１が所定位置に到達したところで、ロック手段４５を構成するベース部材１１の孔部１４にスライダー２１の凸部２２が嵌入してスライダー２１をロックし、スライダー２１を収納口４側に向けて付勢させた状態でこの位置に保持する。
【００２９】
ここで、図９、１０を参照してロック手段によりロックされるときのスライダーの動作について述べる。
図９（ａ）に示すように、ロッドアンテナ３に押されたスライダー２１は、ベース部材１１の凸条レール１５の傾斜面にガイドされてこの凸条レール１５に乗り上げる。そして、図９（ｂ）に示すように、ベース部材１１の孔部１４に凸部２２が嵌入されたとき、つまりロックされたときにスライダー２１の一端側が持ち上がった状態となり、スライダー２１の他端側（凸部２２が設けられた側）が下方に沈むように応力がかかるようになる。このとき、図１０に示すように、スライダー２１の凸部２２と、ベース部材１１の凸条レール１５とが対向する位置関係となっていることで効果的に凸部２２を下方へと押えることができる。
このような構成としたことで、凸部２２が孔部１４に嵌入した状態を確実に保持することが可能となり、また、ロック手段４５によるロックの経時的な劣化を防ぐことができるようになる。
【００３０】
次に、収納部に収納されたロッドアンテナを取り出すときの手順及び本実施の形態のアンテナ取出機構の各部の動作について説明する。
使用者が収納部５に収納されたロッドアンテナ３を取り出すためには、手指などで筐体２底面の凸部２２（ボタン）を押してやることで孔部１４から外れてロックが解除される。この結果、これまで引張バネ３１によって付勢されていたスライダー２１の付勢が解除され、スライダー２１が収納口４側にスライド移動する。これに伴い押出部２３がロッドアンテナ３の後端面を収納口４側に押してこのロッドアンテナ３を収納口４から押し出す。このとき、ロッドアンテナ３は、収納口４からアンテナ全長の約半分ほどが表出し、その後、使用者によって抜き取られる。
【００３１】
この実施の形態によれば、収納部５に収納されたロッドアンテナ３に並列してこのロッドアンテナ３を押し出すためのスライダー２１を設けたことで、アンテナ３の軸方向にスペースが確保できない場合でも、ロッドアンテナ３を押し出すための機構を設けることが可能となる。
【００３２】
また、収納部５に収納されたロッドアンテナ３の後端面は、引張バネ３１の付勢に抗したスライダー２１の押出部２３に当接している。したがって、ロック手段４５によるロックを解除するとスライダー２１がロッドアンテナ３の軸方向に沿って奥側から収納口４側へとスライド移動し、これに伴い押出部２３がロッドアンテナ３の軸方向に移動することでロッドアンテナ３を筐体２外に押し出すことが可能となる。
【００３３】
さらに、このようなアンテナ取出機構１０を無線送信機１の筐体２下部に設けたことで、比較的重量のあるロッドアンテナ３が筐体２下部に収納され、無線送信機１が重心的に安定する。
【００３４】
また、収納口４から挿入されたロッドアンテナ３がスライダー２１を収納部５の奥側へと押し込むことで、このロッドアンテナ３に押されたスライダー２１は、所定位置に到達したところで凸部２２がベース部材１１の孔部１４に嵌まり込んでロックされる。これにより、スライダー２１を収納口４側に向けて付勢させた状態で所定位置に保持できる。
【００３５】
さらに、スライダー２１の突起２４が、ロッドアンテナ３の後端部の溝６と係合することにより、収納されたロッドアンテナ３を収納部５に保持できるようになる。
【００３６】
なお、上述した実施の形態では、スライダー２１とカバー部材４１との間に設けられ、スライダー２１を収納口４側に向けて付勢させる付勢手段３１として引張バネが使用されているが、これに限定されず、例えば、圧縮バネをスライダー２１とカバー部材４１との間に設けてスライダー２１を所定の向きに付勢させることも可能である。
また、付勢手段としての引張バネ３１の一端側の係止部位（本実施の形態では係止柱４３）をカバー部材４１以外の他の部材に設けたとしても上述した実施の形態と同様にスライダー３１を収納口４側に向けて付勢することが可能となる。
【００３７】
さらに、上述した実施の形態では、スライダー２１が引張バネ３１の付勢によってスライド移動してロッドアンテナ３を押し出す構成としたが、例えば、ロッドアンテナ３の後端面に当接した押出部がアンテナ３の軸方向から外れた位置に配設された板バネの端部に設けられ、この板バネの付勢によってロッドアンテナを押し出すように構成することも考えられる。このような構成では、収納口４から挿入されるロッドアンテナ３に押された押出部が、所定位置に到達したところでロック手段によって保持される。そして、ロッドアンテナ３を取り出すときは、押出部がアンテナ３の軸方向に沿って略直線的に移動し、ロッドアンテナ３が収納口４側に押し出される。
【図面の簡単な説明】
【００３８】
【図１】本発明による無線送信機のアンテナ取出機構の一実施の形態を備えた無線送信機を示す斜視図である。
【図２】同無線送信機の背面図である。
【図３】図２におけるＡ−Ａ端面図である。
【図４】同実施の形態のアンテナ取出機構の分解斜視図である。
【図５】同実施の形態のアンテナ取出機構の各部の動作を示す平面図である。
【図６】同底面図である。
【図７】同実施の形態のアンテナ取出機構の各部の動作を示す平面図である。
【図８】同底面図である。
【図９】（ａ）同実施の形態のアンテナ取出機構を構成するロック手段のロック動作を示す模式的な正面断面図である。  （ｂ）同実施の形態のアンテナ取出機構を構成するロック手段のロック動作を示す模式的な正面断面図である。
【図１０】同実施の形態のアンテナ取出機構を構成するロック手段を示す模式的な平面図である。
【符号の説明】
【００３９】
１…無線送信機
２…筐体
３…ロッドアンテナ
４…収納口
１０…アンテナ取出機構
１１…摺動レール部
２１…アンテナ押出手段としてのスライダー
２２…凸部
２３…押出部
２４…突起
３１…付勢手段としての引張バネ
４５…ロック手段
【図１】
0004531001.tif 000002
【図２】
0004531001.tif 000003
【図３】
0004531001.tif 000004
【図４】
0004531001.tif 000005
【図５】
0004531001.tif 000006
【図６】
0004531001.tif 000007
【図７】
0004531001.tif 000008
【図８】
0004531001.tif 000009
【図９】
0004531001.tif 000010
【図１０】
0004531001.tif 000011